(57)【要約】【課題】床下空間の換気を確実に行うことのできる床下空調装置を提供する。【解決手段】本発明の床下空調装置は、建物１の基礎部２またはその近傍に設けられた装置本体３と、装置本体３に設けられ外気を除湿する除湿手段と、除湿手段により除湿した空気を建物１の床下空間４内へ供給する外気供給手段と、床下空間４の空気を床下外へ供給または排出する床下空気排気手段とを備えている。【選択図】　　　　図１
2004144442.tif 000002
【特許請求の範囲】
【請求項１】
建物の基礎部またはその近傍に設けられた装置本体と、
前記装置本体に設けられ、外気を除湿する除湿手段と、
前記除湿手段により除湿した空気を前記建物の床下内へ供給する外気供給手段と、を備えたことを特徴とする床下空調装置。
【請求項２】
建物の基礎部またはその近傍に設けられた装置本体と、
前記装置本体に設けられ、前記建物の床下内の湿った空気を除湿する除湿手段と、
前記除湿手段による除湿時に前記建物の床下空気を床下外へ供給または排出する床下空気排気手段と、を備えたことを特徴とする床下空調装置。
【請求項３】
建物の基礎部またはその近傍に設けられた装置本体と、
前記装置本体に設けられ、外気を除湿する除湿手段と、
前記除湿手段により除湿した空気を前記建物の床下内へ供給する外気供給手段と、
前記建物の床下空気を床下外へ供給または排出する床下空気排気手段と、を備えたことを特徴とする床下空調装置。
【請求項４】
前記建物の床下空気を建物内部に供給する空気誘導手段を設けたことを特徴とする請求項１〜３のいずれか１項に記載の床下空調装置。
【請求項５】
前記建物の床下空気を建物内部に供給するか外気へ排出するかを選択する選択手段を設けたことを特徴とする請求項４に記載の床下空調装置。
【請求項６】
外気の湿度を検出する湿度センサを設け、前記湿度センサからの情報に基づいて、前記除湿手段の駆動を制御する制御手段を設けたことを特徴とする請求項１〜５のいずれか１項に記載の床下空調装置。
【請求項７】
外気を前記除湿手段を通して前記建物の床下内へ供給する外気除湿風路と、
外気を前記除湿手段を通さずに前記建物の床下内へ供給する外気除湿外風路とを設け、
前記外気除湿風路と前記外気除湿外風路とを選択可能にしたことを特徴とする請求項１に記載の床下空調装置。
【請求項８】
前記建物の床下空気を前記除湿手段を通して床下外へ供給または排出する床下空気除湿風路と、
前記建物の床下空気を前記除湿手段を通さずに床下外へ供給または排出する床下空気除湿外風路とを設け、
前記床下空気除湿風路と前記床下空気除湿外風路とを選択可能にしたことを特徴とする請求項２に記載の床下空調装置。
【請求項９】
前記外気除湿風路と前記外気除湿外風路のうち少なくとも１つの風路へ外気を供給可能とする風路選択手段を設けたことを特徴とする請求項７に記載の床下空調装置。
【請求項１０】
前記床下空気除湿風路と前記床下空気除湿外風路のうち少なくとも１つの風路へ床下空気を床下外へ供給または排出可能とする風路選択手段を設けたことを特徴とする請求項８に記載の床下空調装置。
【請求項１１】
前記除湿手段には、空気中の湿気を吸収するとともに、その湿気を吸収した部分に、ヒータで暖められた空気を当てることにより、前記吸収した湿気を空気中に放出する除湿ロータと、該除湿ロータを回転駆動させる回転駆動源と、が設けられていることを特徴とする請求項１〜３のいずれか１項に記載の床下空調装置。
【発明の詳細な説明】
【０００１】
【発明の属する技術分野】
本発明は床下空調装置に係り、特に建物の床下空間を除湿および乾燥させるための床下空調装置に関する。
【０００２】
【従来の技術】
一般に建物の床下空間は、狭くて換気が十分に行われないため、湿気を含む空気が滞りがちである。湿気を含む空気が滞っていると、カビが生えたり白アリが発生したりして、建物の耐久性にダメージを与える恐れがあるので、床下空間に強制的に外気を送り込んで換気を行う方法が考えられている。
【０００３】
従来より、床下空間に外気を送り込んで換気する方法として、吸湿剤が含浸された除湿ロータを用いる方法が採用されている。吸湿剤は空気中の湿気を吸収するとともに、ヒータで暖められた空気を当てると、前記吸収した湿気を空気中に放出する特性を有し、このような吸湿剤が含浸された除湿ロータを回転させることにより、床下空間の換気を連続的に行うことが可能となる。
【０００４】
このような除湿ロータが搭載された除湿機を設置して、床下密閉構造で循環空気の２０％を除湿用空気として利用し、残りの８０％を乾燥用空気として床下空間に供給することにより、循環系では２０％の空気不足を生じさせて常時負圧状況として、居室側等から新鮮な空気を補わせるようにした床下除湿システムが提案されている（例えば、特許文献１、特許文献２参照）。
【０００５】
上記床下除湿システムは、床下空間を密閉構造として一台の除湿機で床下除湿を行うもので、床下空間内に湿度センサが設置され、この湿度センサでの検出値が設定値を越えたときにシステムが作動するようになっている。
【０００６】
【特許文献１】
特開２００１−１３３００７号公報
【特許文献２】
特許第３１６１６９４号公報
【０００７】
【発明が解決しようとする課題】
しかしながら、上記従来の技術ではいずれのものも、居室側等から新鮮な空気を取り入れるには給気口が必要であり、取り入れ空気のバランスが崩れた場合は居室側等から空気と一緒に湿気が床下建材の隙間を通して浸入し、内部結露を起こす可能性が高い。一方、給気口が設定されていたとしても、居室側等からの新鮮空気が床下空間内に給気されるのは除湿機が作動している場合のみで、常時新鮮な空気が補われているとは限らない。
【０００８】
また、除湿機作動時に居室側の空気も負圧状況になることから、給気口から入ってくる空気の量に制限される全館計画換気システム（第１種または第３種計画換気）においては、居室側の換気バランスが崩れることが予測される。
【０００９】
さらに、床下空間内は基礎によって仕切られており、各間仕切りにおける湿度は異なる。例えば、水周りとその他の領域においては湿度の状況が異なっている。湿度センサの設置場所が水周り以外の場合は、設定湿度以下になった状況で除湿機が停止するため、水周り付近は依然として高い湿度の状況にあることが考えられ、カビなどの発生の可能性は高い。
【００１０】
本発明の課題は、床下空間の換気を確実に行うことのできる床下空調装置を提供することにある。
【００１１】
【課題を解決するための手段】
上記課題を解決するために、請求項１に記載の発明は、建物の基礎部またはその近傍に設けられた装置本体と、前記装置本体に設けられ、外気を除湿する除湿手段と、前記除湿手段により除湿した空気を前記建物の床下内へ供給する外気供給手段とを備えたことを特徴としている。
【００１２】
請求項２に記載の発明は、建物の基礎部またはその近傍に設けられた装置本体と、前記装置本体に設けられ、前記建物の床下内の湿った空気を除湿する除湿手段と、前記除湿手段による除湿時に前記建物の床下空気を床下外へ供給または排出する床下空気排気手段とを備えたことを特徴としている。
【００１３】
請求項３に記載の発明は、建物の基礎部またはその近傍に設けられた装置本体と、前記装置本体に設けられ、外気を除湿する除湿手段と、前記除湿手段により除湿した空気を前記建物の床下内へ供給する外気供給手段と、前記建物の床下空気を床下外へ供給または排出する床下空気排気手段とを備えたことを特徴としている。
【００１４】
上記各構成によれば、床下空間を密閉構造とする必要がなく、且つ、外気の床下空間への供給と、床下空間の空気の外気への排気とが同時に行われるため、装置作動時においても床下空間内の空気バランスを常圧に保つことができ、床下空間の換気を確実に行うことが可能となる。
【００１５】
請求項４に記載の発明は、請求項１〜３のいずれか１項において、前記建物の床下空気を建物内部に供給する空気誘導手段を設けたことを特徴としている。このように構成すれば、除湿ロータから放出される湿気を含む空気が空気誘導手段によって建物の内部に誘導されるので、建物内部の乾燥を防ぐことができる。
【００１６】
請求項５に記載の発明は、請求項４において、前記建物の床下空気を建物内部に供給するか外気へ排出するかを選択する選択手段を設けたことを特徴としている。このように構成すれば、床下空気の建物内部への供給と外気への排出とを容易に切換えることができる。
【００１７】
請求項６に記載の発明は、請求項１〜５のいずれか１項において、外気の湿度を検出する湿度センサを設け、前記湿度センサからの情報に基づいて、前記除湿手段の駆動を制御する制御手段を設けたことを特徴としている。このように構成すれば、例えば床下空間内の間仕切りに合わせて床下空調装置を数台設置したとき、制御手段は、湿度センサからの湿度情報に基づいて除湿手段を制御して、建物の床下空間の状況に合った、きめの細かい空調制御を行うことができる。
【００１８】
請求項７に記載の発明は、外気を前記除湿手段を通して前記建物の床下内へ供給する外気除湿風路と、外気を前記除湿手段を通さずに前記建物の床下内へ供給する外気除湿外風路とを設け、前記外気除湿風路と前記外気除湿外風路とを選択可能にしたことを特徴としている。このように構成すれば、外気は外気除湿風路へ流入したときは、除湿手段によって除湿されてから床下空間へ送られ、外気除湿外風路へ流入したときは、除湿されずに床下空間に送られる。
【００１９】
請求項８に記載の発明は、請求項２において、前記建物の床下空気を前記除湿手段を通して床下外へ供給または排出する床下空気除湿風路と、前記建物の床下空気を前記除湿手段を通さずに床下外へ供給または排出する床下空気除湿外風路とを設け、前記床下空気除湿風路と前記床下空気除湿外風路とを選択可能にしたことを特徴としている。このように構成すれば、床下空間の空気は床下空気除湿風路へ流入したときは、除湿手段から湿気を奪い取ってから排出され、床下空気除湿外風路へ流入したときは、湿気を奪い取ることなく排出される。
【００２０】
請求項９に記載の発明は、請求項７において、前記外気除湿風路と前記外気除湿外風路のうち少なくとも１つの風路へ外気を供給可能とする風路選択手段を設けたことを特徴としている。このように構成すれば、各風路への外気の供給が容易になる。
【００２１】
請求項１０に記載の発明は、請求項８において、前記床下空気除湿風路と前記床下空気除湿外風路のうち少なくとも１つの風路へ床下空気を床下外へ供給または排出可能とする風路選択手段を設けたことを特徴としている。このように構成すれば、各風路への外気の供給が容易になる。
【００２２】
請求項１１に記載の発明は、請求項１〜３のいずれか１項において、前記除湿手段には、空気中の湿気を吸収するとともに、その湿気を吸収した部分に、ヒータで暖められた空気を当てることにより、前記吸収した湿気を空気中に放出する除湿ロータと、該除湿ロータを回転駆動させる回転駆動源とが設けられていることを特徴としている。このように構成すれば、除湿ロータを用いることにより、建物の床下空間の空調を継続的に行うことが可能となる。
【００２３】
【発明の実施の形態】
以下、本発明の実施の形態を図面に従って説明する。
（実施の形態１）
図１は実施の形態１による床下空調装置を建物の基礎部に設置した様子を示した概略構成図である。図１に示すように、建物１の基礎部（基礎コンクリート）２には床下空調装置３が設置されている。この床下空調装置３は、外気を取り入れ、その外気から湿気を取り除き乾燥した空気を建物１の床下空間４へ供給するとともに、床下空間４の空気を取り入れて、その空気に、前記外気から取り除いた湿分を奪い取らせて、湿った空気として建物１の外の大気中に排出する。
【００２４】
床下空調装置３には、図２に示すように、円板状の除湿ロータ５が設けられている。除湿ロータ５の本体は、シリカゲル、ゼオライト、塩化リチウムなどの吸湿剤を含浸させたセルロースやセラミック繊維で構成されている。除湿ロータ５には、その外周面５Ａにギア６が設けられ、このギア６は、モータ７の回転軸７Ａに取り付けられたピニオン８に噛み合っている。そして、モータ７を回転させると、その回転力はピニオン８、ギア６を介して除湿ロータ５に伝達され、除湿ロータ５は、その中心軸（図示省略）を中心にして回転駆動される。なお、モータ７の回転軸７Ａにプーリを設け、このプーリと除湿ロータ５の外周面５Ａとの間にベルトを掛け渡して、ベルト駆動で除湿ロータ５を回転駆動させることもできる。
【００２５】
除湿ロータ５の一側端面５Ｂと他側端面５Ｃには小穴５Ｄが多数形成され、各小穴５Ｄは一側端面５Ｂから他側端面５Ｃに貫通している。各小穴５Ｄはハニカム構造に形成されている。
【００２６】
除湿ロータ５は、図４に示すように、床下空調装置３の外側ケース９内に設けられている。外側ケース９内には、除湿ロータ５の一側端面５Ｂの手前に仕切板１０が、他側端面５Ｃの後側に仕切板１１がそれぞれ水平に配置されている（図２参照）。仕切板１０，１１の両側端は外側ケース９の内壁面に固定されている。なお、図４では仕切板１０，１１は省略されている。
【００２７】
外側ケース９の内部空間は、仕切板１０，１１によって上下２つに分離され、上側には上側風路１２，１３が、下側には下側風路１４，１５がそれぞれ形成されている。上側風路１２，１３は除湿ロータ５の小穴５Ｄを介して互いに連通し、下側風路１４，１５も除湿ロータ５の小穴５Ｄを介して互いに連通している。
【００２８】
外側ケース９内の上側風路１２にはヒータ１６が設けられている。また、上側風路１３にはモータ１７によって回転駆動される排気ファン１８が、下側風路１５にはモータ１９によって回転駆動される給気ファン２０がそれぞれ設置されている。これら排気ファン１８および給気ファン２０は床下空調装置３本体に設けられている。
【００２９】
なお、排気ファン１８を上側通路１２に、給気ファン２０を下側風路１４にそれぞれ設置してもよい。排気ファン１８を上側通路１２に設置する場合は、ヒータ１６の上流側（図４の左側）に設置するのがよい。
【００３０】
本実施の形態では、除湿ロータ５は除湿手段を、下側風路１４，１５と給気ファン２０は外気供給手段を、上側風路１２，１３と排気ファン１８は床下空気排気手段をそれぞれ構成している。
【００３１】
次に、上記構成の床下空調装置３の動作について説明する。モータ７によって除湿ロータ５を一定方向に回転させながら、モータ１７，１９によってファン１８，２０をそれぞれ回転させる。すると、外気が給気ファン２０によって吸引されて下側風路１５に流入するとともに、建物１の床下空間４内に漂う空気が排気ファン１８により吸い込まれて上側風路１２内に流入する。
【００３２】
下側風路１５内に流入した外気は、除湿ロータ５の下半分（処理ゾーン）の小穴５Ｄを通過する際に、その湿分が、除湿ロータ５に含浸された吸湿剤に吸収された後、下側風路１４を通って、乾燥した空気として建物１の床下空間４内に供給される。これにより、建物１の床下空間４を除湿して乾燥した状態に維持することができる。
【００３３】
一方、上側風路１２内に流入した外気は、ヒータ１６によって加熱されて温風となって除湿ロータ５に送られる。除湿ロータ５に送られた温風は、除湿ロータ５の上半分（再生ゾーン）の小穴５Ｄを通過する際に、吸湿剤に吸収されていた湿分を除湿ロータ５から奪い取ってから上側風路１３を通り、湿分を含む暖かい空気として建物１外側の大気中へ排出される。このようにして、除湿ロータ５は吸収していた湿分が取り除かれるので、吸湿剤は再び空気中の湿分を吸収できる状態となる。
【００３４】
本実施の形態によれば、モータ７によって除湿ロータ５を一定方向に回転駆動させることにより、除湿ロータ５は湿分が取り除かれた部分は下側の処理ゾーンへ、逆に湿分を吸収した部分は上側の再生ゾーンへと連続的に変位するので、建物１の床下空間４の除湿および乾燥を継続して行うことができる。
【００３５】
（実施の形態２）
次に、実施の形態２について説明する。本実施の形態では、図５に示すように、床下空調装置３にフィルタ部３０を介して空気誘導配管３１の一端が接続され、この空気誘導配管３１の他端は建物１の居室３２内に接続されている。ここでは、空気誘導配管３１は空気誘導手段を構成している。
【００３６】
床下空調装置３には、図６に示すように、外側ケース９に開口部９Ａが形成され、この開口部９Ａに、フィルタ３０Ａを有するフィルタ部３０が取り付けられている。開口部９Ａには、Ａ１，Ａ２の位置に切換可能なダンパ３３がピン（回転軸）３４を介して外側ケース９に取り付けられている。また、上側風路１３の出口には、Ｂ１，Ｂ２の位置に切換可能なダンパ３５がピン（回転軸）３６を介して外側ケース９に取り付けられている。ダンパ３３とダンパ３５は連動しており、ダンパ３５をＢ１の位置に切換えると、ダンパ３３はＡ１の位置に切換えられ、またダンパ３５をＢ２の位置に切換えると、ダンパ３３はＡ２の位置に切換えられる。ダンパ３５は、図示していない駆動源により切換えられる。
【００３７】
上記構成において、夏場など外気温が高いときは、ダンパ３５をＢ１の位置に切換えて、ダンパ３３をＡ１の位置に切換えておく。そうすると、上側風路１２内でヒータ１６によって加熱され、さらに除湿ロータ５から湿気を奪い取った空気は、上側風路１３から外部の大気中に排出される。
【００３８】
冬場など外気温が低いときは、図７に示すように、ダンパ３５をＢ２の位置に切換えて、ダンパ３３をＡ２の位置に切換えておく。このようにすれば、上側風路１２内でヒータ１６によって加熱され、さらに除湿ロータ５から湿気を奪い取った空気は、下側風路１３から開口部９Ａを介してフィルタ部３０に流入して、フィルタ３０Ａで塵埃等を除去された後、空気誘導配管３１を通って建物１の居室３２内に導かれる。
【００３９】
本実施の形態によれば、除湿ロータ５を通過した空気が空気誘導配管３１を通って建物１の居室３２内に導かれるので、暖かく且つ湿気を含む空気が建物１の居室３２内に流入することになり、冬場などに居室３２内を暖めるとともに居室３２内の乾燥を防ぐこともできる。
【００４０】
なお、上記構成において、ダンパ３３とダンパ３５を図８または図９のように１つのダンパにしてもよい。図８においては、外側ケース９の開口部９Ａ付近にピン（回転軸）３６Ａを介してダンパ３５Ａが設けられている。このダンパ３５Ａは、図示していない駆動源により駆動され、ＡＡ１の位置またはＡＡ２の位置に切換えられる。図９においては、開口部９Ａ付近にピン（回転軸）３６Ｂを介してダンパ３５Ｂが設けられている。このダンパ３５Ｂは、図示していない駆動源により駆動され、ＢＢ１の位置またはＢＢ２の位置に切換えられる。
【００４１】
（実施の形態３）
次に、実施の形態３について説明する。本実施の形態では、図１０に示すように、床下空調装置３の内部に、建物１の床下空間４と外気とを連通可能な４つの風路（外気除湿風路４０、外気除湿外風路４１、床下空気除湿風路４２、床下空気除湿外風路４３）が設けられている。
【００４２】
除湿ロータ５は外気除湿風路４０と床下空気除湿風路４２に亘って配置され、ヒータ１６は床下空気除湿風路４２に設けられている。また、モータ１７によって回転駆動される排気ファン１８は床下空気除湿風路４２および床下空気除湿外風路４３に亘って配置され、モータ１９によって回転駆動される給気ファン２０は外気除湿風路４０および外気除湿外風路４１に亘って配置されている。除湿ロータ５、ヒータ１６、モータ１７，１９、およびファン１８，２０は実施の形態１のものと同様である。
【００４３】
外気除湿風路４０および外気除湿外風路４１の入口側（図１０の右側）には矢印のように上下方向にスライド自在なスライドシャッタ４４が設けられ、また床下空気除湿風路４２および床下空気除湿外風路４３の入口側（図１０の左側）には矢印のように上下方向にスライド自在なスライドシャッタ４５が設けられている。スライドシャッタ４４，４５は、図示していない駆動源により切換えられる。
【００４４】
床下空調装置３の外側ケース４６には開口部４６Ａが形成され、この開口部４６Ａには、フィルタ３０Ａを有するフィルタ部３０が取り付けられている。開口部４６Ａには、Ｃ１，Ｃ２，Ｃ３の位置に切換可能なダンパ４７がピン（回転軸）４８を介して外側ケース４６に取り付けられている。また、床下空気除湿外風路４３の出口にはＤ１，Ｄ２の位置に切換可能なダンパ４９がピン（回転軸）５０を介して外側ケース４６に、床下空気除湿風路４２の出口にはＥ１，Ｅ２の位置に切換可能なダンパ５１がピン５０を介して外側ケース４６にそれぞれ取り付けられている。ダンパ４７，４９，５１は、図示していない駆動源により切換えられる。
【００４５】
本実施の形態では、図１１に示すように、外気の湿度を検出する湿度センサ５２が床下空調装置３本体に取り付けられ、また床下空調装置３の内部には制御部５３が設けられ、湿度センサ５２からの検出信号は制御部５３に取り込まれる。なお、湿度センサ５２は必ずしも床下空調装置３本体に取り付けられている必要はなく、外気の湿度を検出できるようになっていればよい。
【００４６】
上記構成においては、ダンパ４７，４９，５１は選択手段を、スライドシャッタ４４，４５は風路選択手段を、制御部５３は制御手段をそれぞれ構成している。
【００４７】
上記構成において、外気湿度が低い時は、図１２に示すように、スライドシャッタ４４を上昇させて、外気除湿風路４０の入口を塞いで外気除湿外風路４１の入口を開くとともに、スライドシャッタ４５を下降させて、床下空気除湿風路４２の入口を塞いで床下空気除湿外風路４３の入口を開く。また、ダンパ４７をＣ２の位置に、ダンパ４９をＤ１の位置に、ダンパ５１をＥ１の位置にそれぞれ切換える。
【００４８】
そして、モータ１７で排気ファン１８を、モータ１９で給気ファン２０をそれぞれ回転駆動させると、湿度の低い外気は、給気ファン２０により吸引されて外気除湿外風路４１を通り、建物１の床下空間４に流入する。また、建物１の床下空間４を漂う空気は、排気ファン１８により吸引されて床下空気除湿外風路４３を通り、建物１外側の外気へ排出される。これにより、建物１の床下空間４を除湿・乾燥させることができる。特に、外気を給気ファン２０により直接取り入れているので、床下空間４を除湿・乾燥させる効果は大きい。
【００４９】
外気湿度が高い時は、図１３に示すように、スライドシャッタ４４を下降させて、外気除湿外風路４１の入口を塞いで外気除湿風路４０の入口を開くとともに、スライドシャッタ４５を上昇させて、床下空気除湿外風路４３の入口を塞いで床下空気除湿風路４２の入口を開く。また、ダンパ４７をＣ２の位置に、ダンパ４９をＤ２の位置に、ダンパ５１をＥ２の位置にそれぞれ切換える。
【００５０】
そして、ファン１８，２０をそれぞれ回転駆動させると、湿度の高い外気は、給気ファン２０により吸引されて外気除湿風路４０に流入し、除湿ロータ５を通過する際に、その湿分が除湿ロータ５の吸湿剤により吸収され、その後、乾燥した空気として建物１の床下空間４内に供給される。これにより、建物１の床下空間４を除湿・乾燥させることができる。
【００５１】
また、建物１の床下空間４を漂う空気は、排気ファン１８により吸引されて床下空気除湿風路４２に流入し、ヒータ１６によって加熱されて温風となって除湿ロータ５に送られる。除湿ロータ５に送られた温風は、除湿ロータ５を通過する際に、吸湿剤に吸収されていた湿分を除湿ロータ５から奪い取り、湿った空気として建物１外側の大気中へ排出される。
【００５２】
次に、冬場などに室内を加湿したい時は、図１４に示すように、スライドシャッタ４４を下降させ、スライドシャッタ４５を上昇させる。この場合は、スライドシャッタ４４，４５は図１３のときと同じである。ここでは、ダンパ４７をＣ１の位置に、ダンパ４９をＤ２の位置に、ダンパ５１をＥ１の位置にそれぞれ切換える。
【００５３】
そして、ファン１８，２０をそれぞれ回転駆動させると、外気は給気ファン２０により吸引されて外気除湿風路４０に流入し、除湿ロータ５を通過する際に、その湿分が除湿ロータ５の吸湿剤により吸収され、その後、乾燥した空気として建物１の床下空間４内に供給される。また、建物１の床下空間４を漂う空気は、排気ファン１８により吸引されて床下空気除湿風路４２に流入し、ヒータ１６によって加熱されて温風となって除湿ロータ５に送られて、除湿ロータ５を通過する際に、吸湿剤に吸収されていた湿分を除湿ロータ５から奪い取り、湿った空気となる。
【００５４】
床下空気除湿風路４２の下流側は、ダンパ４７，４９，５１によりフィルタ部３０に連通しているので、上記湿った空気は、床下空気除湿風路４２からフィルタ部３０に流入し、フィルタ３０Ａで塵埃等を除去された後、空気誘導配管３１を通って建物１の居室３２内に導かれる。
【００５５】
このように、除湿ロータ５を通過した湿った空気を建物１の居室３２内に導くことにより、居室３２内の乾燥を防ぐことができる。また、除湿ロータ５を通過した空気はヒータ１６で加熱されているので、暖かい空気となっており、居室３２内を暖めることもできる。
【００５６】
夏場の夜などに室内に涼風を送りたい時は、図１５に示すように、スライドシャッタ４４を上昇させ、スライドシャッタ４５を下降させる。この場合は、スライドシャッタ４４，４５は図１２のときと同じである。ここでは、ダンパ４７をＣ３の位置に、ダンパ４９をＤ２の位置に、ダンパ５１をＥ２の位置にそれぞれ切換える。
【００５７】
そして、ファン１８，２０をそれぞれ回転駆動させると、湿度の低い外気は、給気ファン２０により吸引されて外気除湿外風路４１を通り、建物１の床下空間４に流入する。また、建物１の床下空間４を漂う空気は、排気ファン１８により吸引されて床下空気除湿外風路４３に流入する。
【００５８】
床下空気除湿外風路４３の下流側は、ダンパ４７，４９，５１によりフィルタ部３０に連通しているので、床下空気除湿外風路４３に流入した空気はフィルタ部３０に送られ、フィルタ３０Ａで塵埃等を除去された後、空気誘導配管３１を通って建物１の居室３２内に導かれる。
【００５９】
このように、湿度が低く、涼しい空気を建物１の居室３２内に導くことにより、居室３２内の気温を下げることができる。また外気は、フィルタ３０Ａで塵埃等を除去してから居室３２内に送られるので、居室３２内が汚れることもなく衛生的である。
【００６０】
本実施の形態において、スライドシャッタ４４を外気除湿風路４０と外気除湿外風路４１の中間位置に停止させれば、外気を外気除湿風路４０と外気除湿外風路４１の双方に導入させることができる。また、スライドシャッタ４５を床下空気除湿風路４２と床下空気除湿外風路４３の中間位置に停止させれば、床下空気を床下空気除湿風路４２と床下空気除湿外風路４３の双方に導入させることが可能となる。
【００６１】
本実施の形態では、ダンパ４９とダンパ５１の２つのダンパを用いているが、ダンパ位置Ｄ１，Ｄ２，Ｅ１，Ｅ２が可能となるような１つのダンパを用いて風路切換を行ってもよい。
【００６２】
本実施の形態の変形例として、図１６のような床下空調装置３を建物１の基礎部２に設置することもできる。図１６に示した床下空調装置３は、空気誘導手段およびそれに付随する構成が設けられていない構成であり、空気誘導手段や配管等がないこと以外、作用については前述したとおりである。
【００６３】
なお、上記の実施の形態１〜３において、床下空調装置３は建物１の基礎部２に設置されていたが、床下空調装置３を基礎部２に設けず、基礎部２の手前外気部分に設置してもよく、別配管を必要としないように基礎部２近傍でその前後に設置してもよい。
【００６４】
また、実施の形態１〜３において、ヒータ１６の発熱量を変更することにより、床下空調装置３から排出される湿った空気の温度を調整することができる。
【００６５】
【発明の効果】
以上説明したように、本発明によれば、床下空間を密閉構造とする必要がなく、且つ、外気の床下空間への供給と、床下空間の空気の外気への排気とを同時に行うことができる。その結果、装置作動時においても床下空間内の空気バランスを常圧に保つことができるので、床下空間の換気と除湿を確実に行うことができ、床下は一年中湿気のない最適な状態が保て、木材の腐食やカビ・白アリの発生を抑えることができる。
【図面の簡単な説明】
【図１】実施の形態１による床下空調装置を建物の基礎部に設置した様子を示した概略構成図である。
【図２】図１に示した床下空調装置の要部斜視図である。
【図３】除湿ローラの部分断面図である。
【図４】図１に示した床下空調装置の縦断面図である。
【図５】実施の形態２による床下空調装置を建物の基礎部に設置した様子を示した概略構成図である。
【図６】図５に示した床下空調装置の縦断面図である。
【図７】図５の床下空調装置から排出される空気を居室内に導くときの概略図である。
【図８】実施の形態２の変形例による床下空調装置の縦断面図である。
【図９】実施の形態２の他の変形例による床下空調装置の縦断面図である。
【図１０】実施の形態３による床下空調装置の縦断面図である。
【図１１】図１０の床下空調装置を建物の基礎部に設置した様子を示した概略構成図である。
【図１２】図１０の床下空調装置において、外気湿度が低い時の空気の流れを示した図である。
【図１３】図１０の床下空調装置において、外気湿度が高い時の空気の流れを示した図である。
【図１４】図１０の床下空調装置において、室内を加湿する時の空気の流れを示した図である。
【図１５】図１０の床下空調装置において、室内に涼風を送る時の空気の流れを示した図である。
【図１６】実施の形態３の変形例による床下空調装置の縦断面図である。
【符号の説明】
１　建物
２　基礎部
３　床下空調装置
４　床下空間
５　除湿ロータ
７，１７，１９　モータ
９，４６　外側ケース
１０，１１　仕切板
１２，１３　上側風路
１４，１５　下側風路
１６　ヒータ
１８　排気ファン
２０　給気ファン
３０　フィルタ部
３０Ａ　フィルタ
３１　空気誘導配管
３２　居室
３３，３５，４７，４９，５１　ダンパ
４０　外気除湿風路
４１　外気除湿外風路
４２　床下空気除湿風路
４３　床下空気除湿外風路
４４，４５　スライドシャッタ
５２　湿度センサ
５３　制御部
【図１】
2004144442.tif 000003
【図２】
2004144442.tif 000004
【図３】
2004144442.tif 000005
【図４】
2004144442.tif 000006
【図５】
2004144442.tif 000007
【図６】
2004144442.tif 000008
【図７】
2004144442.tif 000009
【図８】
2004144442.tif 000010
【図９】
2004144442.tif 000011
【図１０】
2004144442.tif 000012
【図１１】
2004144442.tif 000013
【図１２】
2004144442.tif 000014
【図１３】
2004144442.tif 000015
【図１４】
2004144442.tif 000016
【図１５】
2004144442.tif 000017
【図１６】
2004144442.tif 000018